(57)【要約】【課題】            人感センサーの検知範囲の調整を簡単にでき、広範な人検知の可能なコンパクトな換気扇を得る。【解決手段】        風洞１の吸込側に外方に張出すフランジ３を持つ本体２の風洞１にモーターにより回転する羽根車４が組付けられ、トイレ等の壁面や天井に取付けられて、本体２に設けられた赤外線を検知する人感センサー７の検知出力により自動運転する換気扇について、人感センサー７を本体２のフランジ３の外表にホルダー６を介して前向きに取付け、このホルダー６は正面及び左右に人感センサー７の向きを変え得るよう可動に構成される。【選択図】          図２
2006342990.tif 000002
【特許請求の範囲】
【請求項１】
風洞の吸込側に外方に張出すフランジを持つ本体の風洞にモーターにより回転する羽根車が組付けられ、トイレ等の壁面や天井に取付けられて、前記本体に設けられた赤外線を検知する人感センサーの検知出力により自動運転する換気扇であって、前記人感センサーを前記本体のフランジ外表にホルダーを介して前向きに取付け、このホルダーは正面及び左右に前記人感センサーの向きを変え得るよう可動に構成されている換気扇。
【請求項２】
請求項１に記載の換気扇であって、ホルダーを取付ける取付部を本体のフランジに前下りの勾配を付けて形成し、この勾配の付いた前記取付部に取付けたホルダーに人感センサーを設けた換気扇。
【請求項３】
請求項１又は請求項２のいずれかに記載の換気扇であって、ホルダーの位置を所定位置に保持する保持構造を備えた換気扇。
【請求項４】
請求項１〜請求項３のいずれかに記載の換気扇であって、本体の前面に装着される吸込みグリルを有し、この吸込みグリルに人感センサーへ赤外線を透過するカバー付きの透過窓を設け、この透過窓は前記人感センサーの位置に対し左右方向に風洞の中心位置を越えて設けられている換気扇。
【請求項５】
請求項４に記載の換気扇であって、透過窓を正面、側面、下面にわたって設け、この透過窓全体を赤外線を透過するカバーで覆った換気扇。
【発明の詳細な説明】
【技術分野】
【０００１】
本発明は、トイレ等の壁面や天井に取付けられ自動運転して換気を行う換気扇に関するものである。
【背景技術】
【０００２】
トイレ等に取付けられる換気扇の中には人を検知して自動運転するようにしたものがある。人を検知する手段としては、人の出す赤外線を検知して信号を出力する人感センサーが多く用いられている（特許文献１参照）。
【０００３】
【特許文献１】特開平７−４２９８２号公報
【発明の開示】
【発明が解決しようとする課題】
【０００４】
従来のこの種の換気扇においては、例えば壁に取付けた場合、取付位置によっては人感センサーの検知範囲が狭くなり人を検知しないことがある。こうした不具合を解消するために人感センサーを換気扇の前面の吸込みグリルから露出させたり、できるだけ本体の前面側に呈出させ、検知範囲を広くしている。しかし、こうした対処では、換気扇の意匠が損なわれたり、換気扇の取付面からの出っ張り寸法が大きくなりコンパクトな換気扇とならない。
【０００５】
本発明は、上記した課題を解決するためになされたものであり、その目的とするところは、人感センサーの検知範囲の調整を簡単にでき、広範な人検知の可能なコンパクトな換気扇を得ることである。また、前面意匠の損なわれない換気扇を得ることも目的としている。
【課題を解決するための手段】
【０００６】
本発明は、風洞の吸込側に外方に張出すフランジを持つ本体の風洞にモーターにより回転する羽根車が組付けられ、トイレ等の壁面や天井に取付けられて、本体に設けられた赤外線を検知する人感センサーの検知出力により自動運転する換気扇について、その人感センサーを本体のフランジ外表にホルダーを介して前向きに取付け、このホルダーは正面及び左右に人感センサーの向きを変え得るよう可動に構成する手段を採用する。
【発明の効果】
【０００７】
本発明によれば、設置状態であっても、ホルダーを正面、左右に動かし人感センサーの検知領域を調整でき、広範な人検知の可能な換気扇が得られる。人感センサーは、本体の前側に大きく突出すことはなく、コンパクトで前面意匠も損なわれない換気扇が得られる。
【発明を実施するための最良の形態】
【０００８】
本発明の換気扇はトイレ等の壁や天井に取付けられるもので、室内外に通じる風洞を本体に備えている。風洞の吸込側には外方に張出すフランジが一体に構成されている。風洞内で回転する羽根車がモーターに取付けられ、この羽根車の回転によって風洞に排気流が形成され、換気が行われる。モーターの運転は、本体のフランジの壁取付け状態において下となる一側外表に取付けられたホルダーに前向きに保持された人感センサーの出力によって自動的に行われる。ホルダーは、フランジに対してある範囲を略平面内で回動できるように設けられ、正面と左右位置において位置が保持できるようになっている。本体の前面は、着脱可能な吸込みグリルが装着され、この吸込みグリルに人感センサーへ赤外線を透過するカバー付きの透過窓が設けられている。この換気扇では人感センサーの向きをホルダーを回動させ、正面、右向き、左向きに設置状態であっても簡単に変えることができ、これによって人感センサーの検知領域を調整することができる。即ち、障害物等で人を検知できないようなことがなくなり、広範な人検知の可能な換気扇が得られる。そして人感センサーは、本体の前側に大きく突出すことはなく、コンパクトで吸込みグリルの前面意匠も損なわれない。
【０００９】
実施の形態１．
図１〜図６によって示す本実施の形態は、トイレ等の壁や天井に取付けられ在人検知によって自動運転する換気扇に関するものである。図１は、換気扇全体の斜視図、図２は、吸込みグリルを外した換気扇の斜視図、図３は、換気扇の断面図、図４は、ホルダーと人感センサーの関係を示す分解斜視図、図５は、ホルダーの動きを示す断面説明図、図６は、検知領域の変化を示す説明図である。
【００１０】
本実施の形態の換気扇は、室内外に通じる筒状の風洞１がプラスチック製の本体２に備えられている。風洞１の室内側の吸込口縁には外方に張出す角形のフランジ３が一体に構成されている。風洞１内で回転する羽根車４が風洞１の後端に取付けられたモーター５の回転軸に取付けられ、この羽根車４の回転によって風洞１に排気流が形成され、換気が行われる。モーター５の運転は、本体２のフランジ３の壁取付け状態において下となる一側外表に取付けられたホルダー６に前向きに保持された人感センサー７の出力によって自動的に行われる。フランジ３のホルダー６を取付ける取付部８は、フランジ３の一部が前下りの２０度程度の勾配を付けた面に形成され、この面に直角に角形のホルダー取付窓が開設された構成である。このホルダー取付窓の上下の対向する面には、対向位置に支持孔が穿たれ、片方の支持孔の両側には小さな凹みが横並びに一つずつ形成されている。
【００１１】
回路基板Ａに装着された人感センサー７は、ホルダー６に保持され、ホルダー取付窓にホルダー６により左右方向へ略平面内で回動可能（首振り可能）に設けられている。ホルダー６には支持孔に係合する支持軸９と凹みに係合する突起１０があり、二つの突起１０が凹みに係合した状態では取付部８の面の正面に人感センサー７が向いている。ホルダー６を左に回動させると、一方の突起１０がホルダー取付窓の縁部に当り、もう一方の突起１０が凹みから抜け、取付部８に押さえられた状態でホルダー６が左向きの状態に保持される。右に回動させた場合も同様にして右向きの状態に保持される(図４，５参照)。ホルダー６の回動は、図５に示すように左に２５度、右に２５度程度に設定されている。本体２の前面は、着脱可能な吸込みグリル１１が装着され、この吸込みグリル１１に人感センサー７へ赤外線を透過するカバー付きの透過窓１２が設けられている。透過窓１２は人感センサー７の位置に対し左右方向に風洞１の中心位置を越えて設けられ、人感センサー７の回動による検知領域を妨害しない工夫がされている。より良い透過窓１２の大きさは、吸込みグリル１１の下部において正面、側面、下面にわたる大きさが良い。こうした透過窓１２とすることにより、カバーも吸込みグリル１１と同じ面構成にでき、前面意匠も向上する。
【００１２】
この換気扇では人感センサー７の向きをホルダー６を回動させ、正面、右向き、左向きに設置状態であっても簡単に変えることができ、これによって人感センサー７の検知領域を調整することができる。壁又は天井に取付けた場合の検知領域は、図６に示すように吸込みグリル１１の角部から１０度ずつを除いた概ね１６０度の範囲であり、正面、左右の回動によりトイレ等の略全域について人検知をすることができる。壁取付けの場合、フランジ３の取付部８が前傾の勾配を持っているので、下向きに人感センサー７が向いているので人検知には好都合である。ホルダー６は、正面向き、左向き、右向きの位置で凹みと突起１０により保持されるので調整後、向きが不用意に変わることもなく安定した人検知が可能である。即ち、障害物等で人を検知できないようなことがなくなり、広範な人検知の可能な換気扇が得られる。そして人感センサー７は、本体２の前側に大きく突出すことはなく、コンパクトな換気扇となる。
【図面の簡単な説明】
【００１３】
【図１】換気扇全体の斜視図である。（実施の形態１）
【図２】吸込みグリルを外した換気扇の斜視図である。（実施の形態１）
【図３】換気扇の断面図である。（実施の形態１）
【図４】ホルダーと人感センサーの関係を示す分解斜視図である。（実施の形態１）
【図５】ホルダーの動きを示す断面説明図である。（実施の形態１）
【図６】検知領域の変化を示す説明図である。（実施の形態１）
【符号の説明】
【００１４】
１  風洞、  ２  本体、  ３  フランジ、  ４  羽根車、  ５  モーター、  ６  ホルダー、  ７  人感センサー、  ８  取付部、  ９  支持軸、  １０  突起、  １１  吸込みグリル、  １２  透過窓。
【図１】
2006342990.tif 000003
【図２】
2006342990.tif 000004
【図３】
2006342990.tif 000005
【図４】
2006342990.tif 000006
【図５】
2006342990.tif 000007
【図６】
2006342990.tif 000008